(57)【要約】【課題】簡易に通信経路を設置・撤去でき、導入費用のコスト削減が図れる遠隔監視システムを提供する。【解決手段】監視装置と、監視装置と無線通信するＬＡＮ接続装置と、ＬＡＮ接続装置とＬＡＮを介して接続される少なくとも１つの被監視装置とから成る遠隔監視システムであって、被監視装置が監視装置へ送るための情報を抽出し、ＬＡＮ接続装置に送る手段と、ＬＡＮ接続装置が情報を受領する手段と、ＬＡＮ接続装置が受領した情報を暗号化する手段と、ＬＡＮ接続装置が暗号化された情報を発信する手段と、監視装置が暗号化された情報を受信する手段と、監視装置が暗号化された情報を復号化する手段と、監視装置が情報の内容に応じて処理を行う手段とを有する。【選択図】        図１
2004303136.tif 000002
【特許請求の範囲】
【請求項１】
監視装置と、
前記監視装置と無線通信するＬＡＮ接続装置と、
前記ＬＡＮ接続装置とＬＡＮを介して接続される少なくとも１つの被監視装置とから成る遠隔監視システムであって、
前記被監視装置が前記監視装置へ送るための情報を抽出し、前記ＬＡＮ接続装置に送る手段と、
前記ＬＡＮ接続装置が前記情報を受領する手段と、
前記ＬＡＮ接続装置が受領した前記情報を暗号化する手段と、
前記ＬＡＮ接続装置が暗号化された前記情報を発信する手段と、
前記監視装置が暗号化された前記情報を受信する手段と、
前記監視装置が暗号化された前記情報を復号化する手段と、
前記監視装置が前記情報の内容に応じて処理を行う手段と、
を有することを特徴とする遠隔監視システム。
【請求項２】
監視装置と、
前記監視装置と無線通信するＬＡＮ接続装置と、
前記ＬＡＮ接続装置とＬＡＮを介して接続される少なくとも１つの被監視装置とから成る遠隔監視システムであって、
前記監視装置が処理要求を行う手段と、
前記監視装置が前記情報を暗号化する手段と、
前記監視装置が暗号化された前記情報を発信する手段と、
前記ＬＡＮ接続装置が暗号化された前記情報を受信する手段と、
前記ＬＡＮ接続装置が前記受信した前記情報を復号化する手段と、
前記ＬＡＮ接続装置が前記情報を配信する手段と、
前記被監視装置が前記ＬＡＮ接続装置から送られた前記情報を受け取り、前記情報の内容に応じて処理する手段と、
を有することを特徴とする遠隔監視システム。
【請求項３】
前記情報は、前記被監視装置の状態および前記被監視装置の制御処理についての情報であることを特徴とする請求項１または２記載の遠隔監視システム。
【請求項４】
請求項１または２記載の遠隔監視システムで用いられる監視装置であって、
ＬＡＮ接続装置と通信を行うための通信手段と、
情報の暗号化および復号化を行う暗号化復号化手段と、
監視を行うためのサーバと、
監視および操作を行うための端末手段と、
を有することを特徴とする監視装置。
【請求項５】
前記ＬＡＮ接続装置と通信を行うための携帯型通信手段をさらに有することを特徴とする請求項４記載の監視装置。
【請求項６】
請求項１または２記載の遠隔監視システムで用いられるＬＡＮ接続装置であって、
監視装置と通信を行うための携帯型通信手段と、
情報の暗号化および復号化を行う暗号化復号化手段とを有し、
前記携帯型通信装置とＬＡＮを接続し、前記ＬＡＮに接続された被監視装置と通信することを特徴とするＬＡＮ接続装置。
【発明の詳細な説明】
【０００１】
【発明の属する技術分野】
本発明は、携帯型通信装置とＬＡＮ接続装置と暗号化復号化装置とを設置した被監視側と、暗号化復号化装置を設置した遠隔地の監視センタ間で情報伝達および情報授受を行う遠隔監視システム、監視装置およびＬＡＮ接続装置に関する。
【０００２】
【従来の技術】
被監視システムの状態を監視センタにて監視するビジネスプロセスにおいて、従来は、被監視システムと監視センタとを接続する専用の通信回線を敷設し、遠隔地での監視を行っていた。
【０００３】
従来の技術の例として、簡易型携帯電話装置と無線呼出装置とを使用して複数の無人の物品保管所の物品の在庫管理を遠隔地の事務所から行う「在庫管理システム」がある（例えば、特許文献１参照）。また、遠隔地から自動販売機の在庫状況等の管理を行う、回線の利用効率を高めた「自動販売機管理システム」がある（例えば、特許文献２参照）。また、ホストコンピュータから、複雑なイメージ情報を含む最新技術情報を、遠隔地で作業する保守員の移動可能端末に送信する「技術支援システム及びその方法」がある（例えば、特許文献３参照）。
【０００４】
【特許文献１】
特開平８−１９８４１５号公報
【特許文献２】
特開平１１−３２８５１１号公報
【特許文献３】
特開平８−２８９０４４号公報
【０００５】
【発明が解決しようとする課題】
しかしながら、遠隔監視システムにおける被監視側と監視センタとの接続は、専用の通信回線を使用するため、工事が必要であり、通信装置の追加や撤去が即座に行えないという問題があった。また、定常時には、外部からの通信のための接続は行えず、障害発生時には遠隔から操作したいというケースにおいても専用の回線を設置しておく必要があった。
【０００６】
また、上記特許文献１から３記載の発明は、ネットワークを介して監視側が被監視側の情報を受け取って監視を行うものであるが、送受信する情報に対する不正アクセス等を防ぐ手段を備えていなかった。
【０００７】
本発明は、上記事情に鑑みてなされたものであり、被監視側に携帯型通信装置とＬＡＮ接続装置と暗号化復号化装置とを設置し、監視センタ側に暗号化復号化装置を設置し、被監視側と監視センタ間の情報伝達および情報授受を行うことにより、簡易に通信経路を設置する遠隔監視システム、監視装置およびＬＡＮ接続装置を提供することを目的とする。
【０００８】
【課題を解決するための手段】
かかる目的を達成するために、請求項１記載の遠隔監視システムは、監視装置と、監視装置と無線通信するＬＡＮ接続装置と、ＬＡＮ接続装置とＬＡＮを介して接続される少なくとも１つの被監視装置とから成る遠隔監視システムであって、被監視装置が監視装置へ送るための情報を抽出し、ＬＡＮ接続装置に送る手段と、ＬＡＮ接続装置が情報を受領する手段と、ＬＡＮ接続装置が受領した情報を暗号化する手段と、ＬＡＮ接続装置が暗号化された情報を発信する手段と、監視装置が暗号化された情報を受信する手段と、監視装置が暗号化された情報を復号化する手段と、監視装置が情報の内容に応じて処理を行う手段とを有することを特徴とする。
【０００９】
請求項２記載の遠隔監視システムは、監視装置と、監視装置と無線通信するＬＡＮ接続装置と、ＬＡＮ接続装置とＬＡＮを介して接続される少なくとも１つの被監視装置とから成る遠隔監視システムであって、監視装置が処理要求を行う手段と、監視装置が情報を暗号化する手段と、監視装置が暗号化された情報を発信する手段と、ＬＡＮ接続装置が暗号化された情報を受信する手段と、ＬＡＮ接続装置が受信した情報を復号化する手段と、ＬＡＮ接続装置が情報を配信する手段と、被監視装置がＬＡＮ接続装置から送られた情報を受け取り、情報の内容に応じて処理する手段とを有することを特徴とする。
【００１０】
請求項３記載の遠隔監視システムは、請求項１または２記載の遠隔監視システムにおいて、送受信する情報は、被監視装置の状態および被監視装置の制御処理についての情報であることを特徴とする。
【００１１】
請求項４記載の監視装置は、請求項１または２記載の遠隔監視システムで用いられる監視装置であって、ＬＡＮ接続装置と通信を行うための通信手段と、情報の暗号化および復号化を行う暗号化復号化手段と、監視を行うためのサーバと、監視および操作を行うための端末手段とを有することを特徴とする。
【００１２】
請求項５記載の監視装置は、請求項４記載の監視装置において、ＬＡＮ接続装置と通信を行うための携帯型通信手段をさらに有することを特徴とする。
【００１３】
請求項６記載のＬＡＮ接続装置は、請求項１または２記載の遠隔監視システムで用いられるＬＡＮ接続装置であって、監視装置と通信を行うための携帯型通信手段と、情報の暗号化および復号化を行う暗号化復号化手段とを有し、携帯型通信装置とＬＡＮを接続し、ＬＡＮに接続された被監視装置と通信することを特徴とする。
【００１４】
【発明の実施の形態】
以下、本発明の実施形態である遠隔監視システムについて、添付図面を参照しながら詳細に説明する。
【００１５】
本発明の遠隔監視システムは、監視対象が設置されている被監視装置設置場所１０１と、監視を行っている監視センタ１１１とから構成され、ネットワークを介して接続されている。
【００１６】
被監視設置場所１０１には、ＬＡＮ１１７に接続され、状態を監視される被監視装置１０２、監視センタ１１１の通信を行うための携帯型通信装置１０５、暗号化および復号化を行うための暗号化復号化装置１０４、携帯型通信装置１０５とＬＡＮを接続するためのＬＡＮ接続装置１０３が設置されている。
【００１７】
監視センタ１１１には、被監視側の携帯型通信装置１０５と通信を行うための通信装置１１３、暗号化および復号化を行うための暗号化復号化装置１１２、監視を行うための、例えばサーバ等の監視装置１１４、監視および操作を行うための監視端末１１５、監視および操作を行うオペレータ１１６が設置されている。
【００１８】
本発明の実施形態である動作について説明する。本発明における被監視側である被監視装置設置場所１０１（２０１）から監視センタ（２０６）への情報伝達について、図２を参照して説明する。
【００１９】
まず、被監視側の被監視装置１０２は、監視センタ１１１へ送る情報、例えば、被監視装置の可動状態等を示す情報や監視装置が被監視装置に対して行う制御処理の情報を抽出し、ＬＡＮ接続装置１０３に送る（２０２）。ＬＡＮ接続装置１０３は情報を受領する（２０３）。そして、ＬＡＮ接続装置１０３は、受領した情報を暗号化復号化装置１０４にて暗号化する（２０４）。携帯型通信装置１０５は、暗号化された情報を発信する（２０５）。暗号化された情報を監視センタの通信装置１１３が受信する（２０７）。受信した暗号化情報を暗号化復号化装置１１２にて復号化する（２０８）。監視サーバ１１４は復号化した情報を受け取る（２０９）。情報内容に応じて処理を行う（２１０）。
【００２０】
次に、本発明における監視センタ１１１（３０１）から被監視側である被監視装置設置場所１０１（３０６）への情報伝達について、図３を参照して説明する。
【００２１】
監視センタ１１１は、処理要求を行う（３０２）。監視サーバ１１４は情報を受け取る（３０３）。発信する情報を暗号化復号化装置１１２にて暗号化する（３０４）。暗号化された情報を通信装置１１３から発信する（３０５）。被監視装置設置場所１０１の携帯型通信装置１０５は、暗号化された情報を受信する（３０７）。受信した情報を、暗号化復号化装置１０４にて復号化する（３０８）。ＬＡＮ接続装置１０３から情報を配信する（３０９）。ＬＡＮ接続装置から受信した、監視センタ１１１から送られた情報を受け取り処理する（３１０）。
【００２２】
以上の実施形態では、被監視側と監視センタとの間の通信に応用しているが、別の実施形態として、被監視側と類似の携帯型通信装置を利用することにより、監視センタの分室などの、監視センタ以外から被監視側の監視および情報取得も可能となる。
【００２３】
よって、本発明の実施形態によれば、専用の回線を敷設するためには工事が必要であるが、携帯型通信装置を使用することにより、工事が不要となる。さらに、工事が不要であることから、通信装置の追加や、撤去が容易に行える。工事が不要であるため、通信装置の追加や、撤去が即時におこなえる。さらに、工事不要であるため導入費用の削減がはかれる。また、被監視側と監視センタとの間の通信を常時行わないケースでも、専用の通信回線を設置しておく必要があるが、携帯型通信装置を利用することにより、専用の回線を設置しておく必要が無くなる。また、監視側と被監視側に暗号化復号化装置を設けているので、送受信情報の機密化を図れ、不正アクセスを防止できる。
【００２４】
【発明の効果】
以上の説明から明らかなように、本発明によれば、被監視側に携帯型通信装置を使用して、監視センタと被監視側との通信を行うことにより、以下の効果が得られる。
【００２５】
請求項１記載の遠隔監視システムによれば、監視装置と、監視装置と無線通信するＬＡＮ接続装置と、ＬＡＮ接続装置とＬＡＮを介して接続される少なくとも１つの被監視装置とから成る遠隔監視システムであって、被監視装置が監視装置へ送るための情報を抽出し、ＬＡＮ接続装置に送る手段と、ＬＡＮ接続装置が情報を受領する手段と、ＬＡＮ接続装置が受領した情報を暗号化する手段と、ＬＡＮ接続装置が暗号化された情報を発信する手段と、監視装置が暗号化された情報を受信する手段と、監視装置が暗号化された情報を復号化する手段と、監視装置が情報の内容に応じて処理を行う手段とを有することを特徴とするので、工事が不要となり、また、工事が不要であることから、通信装置の追加や、撤去が容易に行え、導入費用の削減がはかれる。また、情報の暗号化により不正アクセスを防止できる。
【００２６】
請求項２記載の遠隔監視システムによれば、監視装置と、監視装置と無線通信するＬＡＮ接続装置と、ＬＡＮ接続装置とＬＡＮを介して接続される少なくとも１つの被監視装置とから成る遠隔監視システムであって、監視装置が処理要求を行う手段と、監視装置が情報を暗号化する手段と、監視装置が暗号化された情報を発信する手段と、ＬＡＮ接続装置が暗号化された情報を受信する手段と、ＬＡＮ接続装置が受信した情報を復号化する手段と、ＬＡＮ接続装置が情報を配信する手段と、被監視装置がＬＡＮ接続装置から送られた情報を受け取り、情報の内容に応じて処理する手段とを有することを特徴とするので、工事が不要となり、また、工事が不要であることから、通信装置の追加や、撤去が容易に行え、導入費用の削減がはかれる。また、情報の暗号化により不正アクセスを防止できる。
【００２７】
請求項３記載の遠隔監視システムによれば、請求項１または２記載の遠隔監視システムは、送受信する情報は、被監視装置の状態および被監視装置の制御処理についての情報であることを特徴とするので、被監視装置のより正確な監視を可能とする。
【００２８】
請求項４記載の監視装置によれば、請求項１または２記載の遠隔監視システムで用いられる監視装置であって、ＬＡＮ接続装置と通信を行うための通信手段と、情報の暗号化および復号化を行う暗号化復号化手段と、監視を行うためのサーバと、監視および操作を行うための端末手段とを有することを特徴とするので、専用の回線を敷設するためには工事が必要であるが、工事が不要となる。また、工事が不要であることから、通信装置の追加や撤去が容易に行え、導入費用の削減がはかれる。
【００２９】
請求項５記載の監視装置によれば、請求項４記載の監視装置において、ＬＡＮ接続装置と通信を行うための携帯型通信手段をさらに有することを特徴とするので、被監視側と監視センタとの間の通信を常時行わないケースでも、専用の通信回線を設置しておく必要があるが、携帯型通信手段を利用することにより、専用の回線を設置しておく必要が無くなる。
【００３０】
請求項６記載の被監視装置によれば、請求項１または２記載の遠隔監視システムで用いられるＬＡＮ接続装置であって、監視装置と通信を行うための携帯型通信手段と、情報の暗号化および復号化を行う暗号化復号化手段とを有し、携帯型通信装置とＬＡＮを接続し、ＬＡＮに接続された被監視装置と通信することを特徴とするので、専用の回線を敷設するためには工事が必要であるが、携帯型通信手段を使用することにより、工事が不要となり、また、工事が不要であることから、通信装置の追加や撤去が容易に行え、導入費用の削減がはかれる。
【図面の簡単な説明】
【図１】本発明の実施形態である遠隔監視システムの構成を示す図である。
【図２】本発明の実施形態である遠隔監視システムの処理動作を示すシーケンス図である。
【図３】本発明の実施形態である遠隔監視システムの処理動作を示すシーケンス図である。
【符号の説明】
１０１  被監視装置設置場所
１０２  被監視装置
１０３  ＬＡＮ接続装置
１０４  暗号化復号化装置
１０５  携帯型通信装置
１１１  監視センタ
１１２  暗号化復号化装置
１１３  通信装置
１１４  監視装置
１１５  監視端末
１１６  オペレータ
１１７  ＬＡＮ
【図１】
2004303136.tif 000003
【図２】
2004303136.tif 000004
【図３】
2004303136.tif 000005